(57)【要約】【課題】  映像中の所定の輝度レベル範囲を有する部分と、所定の輝度レベル範囲の具体的な値とを容易に把握可能な表示を実現する映像信号処理装置の提供。【解決手段】  映像信号と、映像信号に含まれる輝度レベルと位置との関係を表す輝度波形とを表示する機能を有する映像信号処理装置である。映像信号を、予め設定した輝度レベル範囲に含まれる輝度レベルを有する領域３０２を所定の色に着色して表示する。一方、映像信号の輝度波形を、輝度レベル範囲に対応する領域３０３を所定の色に対応する色に着色して表示する。【選択図】  図３
2015109563.tif 000002
【特許請求の範囲】
【請求項１】
映像信号と、前記映像信号に含まれる輝度レベルと位置との関係を表す輝度波形とを表示する機能を有する映像信号処理装置であって、
前記映像信号を、予め設定した輝度レベル範囲に含まれる輝度レベルを有する領域を所定の色に着色して表示する手段と、
前記映像信号の前記輝度波形を、前記輝度レベル範囲に対応する領域を前記所定の色に対応する色に着色して表示する手段と、
を有することを特徴とする映像信号処理装置。
【請求項２】
前記着色が、前記映像信号または前記輝度波形の前記輝度レベル範囲に対応する領域に前記所定の色または前記所定の色に対応する色を有するパターンを重畳することによって行われることを特徴とする請求項１記載の映像信号処理装置。
【請求項３】
前記着色が、前記映像信号または前記輝度波形の前記輝度レベル範囲に対応する領域を、前記所定の色もしくは前記所定の色に対応する色で置き換えることによって行われることを特徴とする請求項１記載の映像信号処理装置。
【請求項４】
前記予め設定した輝度レベル範囲が複数ある場合、前記複数の輝度レベル範囲のそれぞれについて、異なる色で着色を行うことを特徴とする請求項１から３のいずれか１項に記載の映像信号処理装置。
【請求項５】
前記複数の輝度レベル範囲が、前記映像信号の最大輝度レベルに基づいて設定されることを特徴とする請求項４に記載の映像信号処理装置。
【請求項６】
前記複数の輝度レベル範囲が、前記映像信号に含まれる輝度レベルの範囲に基づいて設定されることを特徴とする請求項４に記載の映像信号処理装置。
【請求項７】
前記映像信号と、前記輝度波形とが、同一画面の別の領域に表示されることを特徴とする請求項１から６のいずれか１項に記載の映像信号処理装置。
【請求項８】
前記輝度波形の表す前記映像信号の位置と、前記映像信号の位置とが対応するように、前記映像信号と前記輝度波形が表示されることを特徴とする請求項７に記載の映像信号処理装置。
【請求項９】
前記輝度波形が子画面として前記映像信号に重畳表示されることを特徴とする請求項１から６のいずれか１項に記載の映像信号処理装置。
【請求項１０】
前記映像信号には階調補正処理が適用されており、前記階調補正処理に用いられた階調補正特性に応じて前記輝度レベル範囲を設定する設定手段をさらに有することを特徴とする請求項１から９のいずれか１項に記載の映像信号処理装置。
【請求項１１】
前記設定手段は、予め定められた基準輝度レベルに前記階調補正特性を適用した後の輝度レベルに基づいて前記輝度レベル範囲を設定することを特徴とする請求項１０記載の映像信号処理装置。
【請求項１２】
映像信号を生成する撮像手段と、
請求項１から９のいずれか１項に記載の映像信号処理装置と、
を有することを特徴とする、撮影機能を有する電子機器。
【請求項１３】
映像信号を生成する撮像手段と、
前記映像信号に階調補正処理を適用する補正手段と、
請求項１０または１１に記載の映像信号処理装置と、
を有することを特徴とする、撮影機能を有する電子機器。
【請求項１４】
映像信号と、前記映像信号に含まれる輝度レベルと位置との関係を表す輝度波形とを表示する機能を有する映像信号処理装置の制御方法であって、
前記映像信号処理装置が、前記映像信号を、予め設定した輝度レベル範囲に含まれる輝度レベルを有する領域を所定の色に着色して表示するステップと、
前記映像信号処理装置が、前記映像信号の前記輝度波形を、前記輝度レベル範囲に対応する領域を前記所定の色に対応する色に着色して表示するステップと、
を有することを特徴とする映像信号処理装置の制御方法。
【請求項１５】
コンピュータを、請求項１から１１のいずれか１項に記載の映像信号処理装置の各手段として機能させるためのプログラム。
【発明の詳細な説明】
【技術分野】
【０００１】
本発明は、映像信号処理装置及びその制御方法に関する。
【背景技術】
【０００２】
従来、カメラ機能を有する機器において、撮影時の露出条件の設定を補助するための機能として、画像を構成する画素の輝度のレベルや分布を表示する機能が知られている。例えば、所定の範囲の輝度レベルを有する画素にゼブラパターンを重畳表示したり、特定の色の画素に置換して表示したり（フォールスカラー表示）する機能が知られている（特許文献１）。
【０００３】
また、波形モニタ（ウェーブフォームモニタ）と呼ばれる、画面の垂直ライン（または水平ライン）方向に位置する輝度とその出現頻度を、波形の表示位置とその輝度レベルで示す表示方法も知られている。
【先行技術文献】
【特許文献】
【０００４】
【特許文献１】特許第４１８１６２５号公報
【発明の概要】
【発明が解決しようとする課題】
【０００５】
フォールスカラー表示は、所定範囲の輝度レベルを有する画素が存在する場所や範囲を知るには有効であるが、表示色と具体的な輝度レベルとの対応が分かりづらい。一方、波形モニタ表示は波形表示であるため、映像との関係を把握するには慣れが必要であるほか、波形の輝度レベルと映像内の位置との関係が曖昧だった。
【０００６】
本発明はこのような従来技術の課題に鑑みてなされたものであり、映像中の所定の輝度レベル範囲を有する部分と、所定の輝度レベル範囲の具体的な値とを容易に把握可能な表示を実現する映像信号処理装置及びその制御方法の提供を目的とする。
【課題を解決するための手段】
【０００７】
上述の目的は、映像信号と、映像信号に含まれる輝度レベルと位置との関係を表す輝度波形とを表示する機能を有する映像信号処理装置であって、映像信号を、予め設定した輝度レベル範囲に含まれる輝度レベルを有する領域を所定の色に着色して表示する手段と、映像信号の輝度波形を、輝度レベル範囲に対応する領域を所定の色に対応する色に着色して表示する手段と、を有することを特徴とする映像信号処理装置によって達成される。
【発明の効果】
【０００８】
このような構成により、本発明に拠れば、映像中の所定の輝度レベル範囲を有する部分と、所定の輝度レベル範囲の具体的な値とを容易に把握可能な表示を実現する映像信号処理装置及びその制御方法を提供できる。
【図面の簡単な説明】
【０００９】
【図１】本発明の実施形態に係る映像処理装置の一例としてのデジタルカメラの機能構成例を示すブロック図
【図２】図１のビデオ信号処理部１１５の機能構成例を示すブロック図
【図３】本発明の第１の実施形態に係るデジタルカメラにおける映像表示および輝度波形表示の例を模式的に示す図
【図４】本発明の第２の実施形態に係るデジタルカメラにおける映像表示および輝度波形表示の例を模式的に示す図
【図５】本発明の第２の実施形態に係るデジタルカメラにおける映像表示および輝度波形表示の別の例を模式的に示す図
【図６】本発明の実施形態に係るデジタルカメラにおける映像表示および輝度波形表示のさらに別の例を模式的に示す図
【図７】本発明の第３の実施形態に係るデジタルカメラにおける映像表示および輝度波形表示の例を模式的に示す図
【発明を実施するための形態】
【００１０】
以下、図面を参照して本発明を例示的な実施形態に基づいて詳細に説明する。なお、以下では本発明をデジタルカメラに適用した場合について説明する。しかし、本発明は映像信号の処理および表示機能を有する任意の装置に適用可能である。従って、本発明の実施形態に係る映像信号処理装置は、例えば以下の装置を包含する。撮像装置（デジタルビデオカメラ、デジタルスチルカメラなど）および、撮影機能を有する電子機器（カメラ付き携帯情報端末、カメラ付き携帯電話、カメラ付きパーソナルコンピュータなど）。また、撮影機能は必須でないため、各種ピクチャーモニタ、マスターモニタ、波形モニタをはじめ、パーソナルコンピュータなど、一般的に画像処理装置と呼ばれる装置・機器も含まれる。
【００１１】
●（第１の実施形態）
図１は、本実施形態に係るデジタルカメラの機能ブロック図である。レンズ部１０１は、被写体像を撮像素子１０２の撮像面上に結像する光学系を構成し、ユーザによるマニュアル操作を可能とするズーム機能、焦点調節機能及び、絞り調節機能を備える。撮像素子１０２は多数の光電変換素子が２次元的に配列された構成を有し、レンズ部１０１によって結像された被写体光学像を画素単位の映像信号に変換する。撮像素子１０２は例えば、ＣＭＯＳ（Complementary Metal Oxide Semiconductor）イメージセンサや、ＣＣＤ（Charged Coupled Device）イメージセンサであってよい。撮像素子１０２はまた、光電変換素子による電荷蓄積時間を調整することによる電子シャッター機能を備える。
【００１２】
撮像素子駆動部１０３は、カメラ信号処理部１０６の制御するタイミングに従って撮像素子１０２を駆動制御する。ＣＤＳ／ＡＧＣ部１０４は、撮像素子１０２からのアナログ映像信号を相関二重サンプリング（ＣＤＳ）してノイズを削減し、システム制御部１１１の制御に従って信号レベルのゲイン制御（ＡＧＣ）を行う。Ａ／Ｄ（Analog to Digital）変換器１０５は、ＣＤＳ／ＡＧＣ部１０４からのアナログ映像信号をデジタル映像信号に変換し、カメラ信号処理部１０６に供給する。
【００１３】
カメラ信号処理部１０６は、システム制御部１１１と連携して、タイミング信号の生成、自動露出（Auto Exposure:AE）制御、ガンマ調整、オートフォーカス（Auto Focus:AF）制御など、カメラ撮像系の制御を行う。
【００１４】
本実施形態のデジタルカメラは、用途に応じた第１記憶部１０７、第２記憶部１１６、第３記憶部１１２、第４記憶部１１９を有している。ここでは便宜上、第１記憶部１０７をカメラ信号処理用、第２記憶部１１６をビデオ制御用、第３記憶部１１２をシステム制御用、第４記憶部１１９をＣＯＤＥＣ用として個別に設けられているものとして記載しているが、物理的には同じ記憶装置で実現してもよい。第１〜第４記憶部１０７，１１６，１１２，１１９は、典型的には読み書き可能な半導体メモリによって構成されるが、少なくとも１つが他の種類の記憶装置で構成されてもよい。
【００１５】
第１記憶部１０７は、撮像した映像を信号処理する際のフレームメモリ等としてカメラ信号処理部１０６が使用する。レンズ駆動部１０８はシステム制御部１１１の制御に従い、レンズ部１０１の図示しないモータやアクチュエータなどを駆動し、倍率変更レンズやフォーカシングレンズの位置の変更、絞りの開閉動作を実施する。これにより、システム制御部１１１はレンズ部１０１のズーム倍率の変更および合焦距離の調整や、露出の調整を行うことが可能である。レンズ駆動部１０８の制御は、システム制御部１１１がカメラ信号処理部１０６での信号処理結果に基づいて行う。例えば、ＡＦ制御時には、カメラ信号処理部１０６が求めたＡＦ評価値に基づいてシステム制御部１１１がレンズ駆動部１０８を制御し、レンズ部１０１のフォーカシングレンズを駆動制御することで、レンズ部１０１を被写体に合焦させる。
【００１６】
マイク１１０は、周囲の音を記録する際に有効とされ、マイク１１０からの音声信号はカメラ信号処理部１０６に供給される。例えば撮像素子１０２で撮像した映像と併せてマイク１１０からの音声を記録する場合、カメラ信号処理部１０６は映像と音声との時刻合わせをしてビデオ信号処理部１１５に供給する。
【００１７】
システム制御部１１１は例えばＣＰＵのようなプログラマブルプロセッサであり、第３記憶部１１２に記憶されたプログラムを実行することにより、本実施形態のデジタルカメラの動作全般を制御する。第３記憶部１１２は、例えばＲＯＭやＲＡＭを含み、システム制御部１１１が実行するプログラムや各種設定、初期値などを記憶する。また、第３記憶部１１２は、システム制御部１１１のワークエリアとしても用いられる。
【００１８】
入力操作部１１３は、撮影者がデジタルカメラに指示を与えるためのユーザインタフェースであり、キー、各種操作ボタン等の入力デバイスを備える。
計時部１１４は、リアルタイムクロック（ＲＴＣ）とバックアップ電池を備え、システム制御部１１１からの要求に応じて、日時情報を返信する。
【００１９】
ビデオ信号処理部１１５は、第１表示部１２２及び第２表示部１２３への、色相、彩度、明度の調整を含む表示制御、アナログライン出力部１２４の出力制御、デジタルデータＩ／Ｆ部１２５への出力制御および、記録／再生部１２０の制御等を行う。第１表示部１２２及び第２表示部１２３を含む各映像出力系に対する映像信号の解像度変換や、ゼブラパターンの重畳などもビデオ信号処理部１１５が行う。ビデオ信号処理部１１５はさらに、撮影情報やユーザ設定メニュー、タッチパネル操作に必要な機能ボタン表示などのＯＳＤ（On Screen Display）表示制御も行う。第２記憶部１１６はビデオ制御用の記憶部で、ビデオ信号処理部１１５がビデオベースバンド信号に関する信号処理を行う際のフレームメモリ、ワークメモリ等として使用する。
【００２０】
H.264コーデック部１１７は、動画像の符号化／復号処理を行う動画像コーデックの一例である。符号化／復号の形式はＭＰＥＧ（Moving Picture Experts Group）２方式を始め、他の形式であってよい。同様に、ＪＰＥＧ（Joint Photographic Experts Group）コーデック部１１８は、静止画像の符号化／復号処理を行う静止画コーデックの一例である。やはり符号化／復号の形式はＪＰＥＧ２０００やＰＮＧなど、他の形式であってよい。なお、本実施形態では、H.264コーデック部１１７と回路を共用するためと、再生動画からの静止画撮影機能（キャプチャ機能）を実現するため、ＪＰＥＧコーデック部１１８はビデオ信号処理部１１５に接続されている。しかし、ＪＰＥＧコーデック部１１８はカメラ信号処理部１０６に直接接続されてもよい。第４記憶部１１９はコーデック用で、H.264コーデック部１１７およびＪＰＥＧコーデック部１１８が映像信号の符号化／復号の際に用いる。
【００２１】
記録／再生部１２０は、ビデオ信号処理部１１５とH.264コーデック部１１７またはＪＰＥＧコーデック部１１８により、符号化処理され、記録フォーマットとして処理された記録データを記録媒体１２１に対して記録したり、読み出したりする。なお、記録媒体１２１はメモリカードに限定されず、ＤＶＤや更に高容量の光ディスク、ＨＤＤ、ＳＳＤなどであっても、それぞれに応じた記録再生システムを、別途、構成可能である。
【００２２】
第１表示部１２２及び第２表示部１２３は表示装置であり、いずれも同様の情報を表示することができる。ただし、本実施形態において、第２表示部１２３は第１表示部１２２よりも小型であり、ファインダ内に設けられているものとする。一方、第１表示部１２２は、例えば筐体の側面などに開閉可能に設けられる比較的大型の表示装置である。
【００２３】
これら第１及び第２表示部１２２及び１２３には、撮像モードでは撮像素子１０２からの入力映像や拡大映像に加え、撮影アスペクト枠表示などの補助表示が表示される。撮像素子１０２からの入力映像を順次表示することで、第１及び第２表示部１２２及び１２３は電子ビューファインダ（ＥＶＦ）として機能する。
【００２４】
一方、再生モード時、第１及び第２表示部１２２及び１２３には、記録媒体１２１に記録されている動画像や静止画像が表示される。また、入力操作部１１３からの撮影者による入力操作情報や、記録媒体１２１のメモリカード内の任意の画像情報（撮影情報）などを表示することも可能である。
【００２５】
アナログライン出力部１２４は、アナログコンポーネント映像の出力や、Ｓ端子出力、コンポジット映像出力などのインタフェース群である。アナログライン出力部１２４を外部モニタ等に接続して、本デジタルカメラからの映像出力を外部モニタに表示することができる。
デジタルデータＩ／Ｆ部１２５は、ＵＳＢやＳＤＩ、ＨＤＭＩ（登録商標）などのデジタルインタフェースを１つ以上、含むことができる。
【００２６】
次いで、本実施形態のデジタルカメラにおいて、映像画面内における具体的な輝度レベルと位置との関係をユーザが把握することを助けるために行う補助表示とその実現方法について図２、図３を用いて説明する。
図２は、ビデオ信号処理部１１５の機能構成の一部を示すブロック図である。
ＲＧＢ形式の入力映像信号２０１は、カメラ信号処理部１０６から供給される。
色空間変換回路２０２は、入力映像信号２０１をＲＧＢ色空間からＹＣｂＣｒ色空間へ、３×３のマトリックス演算によって変換する。変換後の映像信号は、輝度（Y）成分（以下、輝度信号という）が映像輝度レベル比較回路２０３、色差制御回路２０６、および輝度波形生成回路２０７に入力され、色差（Ｃｂ，Ｃｒ）成分（以下、色差信号という）が色差制御回路２０６に入力される。
【００２７】
映像輝度レベル比較回路２０３は、色空間変換回路２０２からの輝度信号を、システム制御部１１１から制御バス２０４を通じてレジスタ２０５に予め設定された輝度レベル範囲と比較し、範囲内であるか範囲外であるかを色差制御回路２０６に伝える。なお、レジスタ２０５に設定され、比較される輝度レベル範囲は複数あっても構わない。
【００２８】
レジスタ２０５に設定されている輝度レベル範囲が複数ある場合、映像輝度レベル比較回路２０３は判定結果を、どの輝度レベルについての判定結果なのかが判別できるように色差制御回路２０６に伝える。どのような方法であってもよいが、例えば輝度レベル範囲を特定可能な情報と判定結果とを、各画素について通知すれば良い。
【００２９】
色差制御回路２０６は、映像輝度レベル比較回路２０３での比較結果に従って、比較した輝度信号の画素位置に対応する色差信号に対する制御を行う。具体的には、色差制御回路２０６は、設定された輝度レベル範囲に含まれる画素は、予め輝度レベル範囲ごとに設定された色で表示され、設定された輝度レベル範囲に含まれない画素は元の色のまま表示されるように色差を生成する。詳細については後述する。
【００３０】
輝度波形生成回路２０７は、たとえば、一般的な波形モニタ(WFM)が表示するような輝度波形信号を生成し、波形輝度レベル比較回路２０８および色差制御回路２０９に出力する。具体的には、映像の水平ラインごとに輝度値波形を生成し、１画面分の輝度値波形を合成することにより、１画面分の映像信号に対する輝度波形信号を生成する。輝度波形信号は、２次元の輝度波形画面を表し、各画素のｘ座標は映像信号の水平方向の位置を、ｙ座標は輝度値を、また画素の値はｙ座標で表される輝度の出現頻度をそれぞれ表している。従って、映像信号の水平位置ｘ１の垂直ラインが同一輝度値ｙ１の画素で構成される場合、輝度波形画面では、ｘ１に対応するｘ座標を有する画素群のうち、ｙ１に対応するｙ座標の画素だけが値を有し、他のｙ座標を有する画素は値を持たない。また、輝度波形画面の画素値は出現頻度が多いほど大きくなるため、高輝度で表示される。
【００３１】
波形輝度レベル比較回路２０８は、輝度波形生成回路２０７からの輝度波形データの各画素が表す輝度レベルをレジスタ２０５に予め設定された輝度レベル範囲と比較して、範囲内であるか範囲外であるかを色差制御回路２０９に伝える。ここで、「画素が表す輝度レベル」はその画素の値（＝出現頻度）ではなく、波形モニタ表示におけるその画素のｙ座標に相当する値である点に留意されたい。
【００３２】
レジスタ２０５に設定されている輝度レベル範囲が複数ある場合、波形輝度レベル比較回路２０８は判定結果を、どの輝度レベルについての判定結果なのかが判別できるように色差制御回路２０９に伝える。どのような方法であってもよいが、例えば輝度レベル範囲を特定可能な情報と判定結果とを、各画素について通知すれば良い。
【００３３】
色差制御回路２０９は、波形輝度レベル比較回路２０８での比較結果に従って、比較した輝度波形信号の画素に対応する輝度および色差信号を生成する。この輝度は画素値が大きいほど高い。また、色差制御回路２０９は、設定された輝度レベル範囲に含まれる画素は、予め輝度レベル範囲ごとに設定された色で表示され、設定された輝度レベル範囲に含まれない画素は予め設定された標準色で表示されるように色差を生成する。
【００３４】
合成回路２１０は、色差制御回路２０６と色差制御回路２０９からの輝度ならびに色差信号を合成し、１画面分の合成映像を生成する。合成回路２１０は例えば、色差制御回路２０６からのＹＣｂＣｒ（ＹＵＶ）信号で表される映像に、色差制御回路２０９からのＹＣｂＣｒ（ＹＵＶ）信号で表される波形表示を子画面表示の形で半透過合成したり、同一画面の別領域に合成したりする。
【００３５】
選択回路２１１は、色差制御回路２０６、色差制御回路２０９および合成回路２１０から輝度ならびに色差信号を受信し、制御バス２０４を通じたシステム制御部１１１による制御に従って選択した信号をフォーマット適合回路２１２、２１４、２１６に出力する。
【００３６】
フォーマット適合回路２１２は、選択回路２１１から受信した映像信号を、第１表示部１２２の液晶パネルに表示するための信号フォーマットに変換した表示用信号２１３を、第１表示部１２２に出力する。ここでは、LVDS伝送フォーマットに変換するものとする。
【００３７】
フォーマット適合回路２１４は、選択回路２１１から受信した映像信号を、第２表示部１２３の液晶パネルに表示するための信号フォーマットに変換した表示用信号２１５を、第２表示部１２３に出力する。ここでは、フォーマット適合回路２１２と同様にLVDS伝送フォーマットに変換するものとする。なお、上述の通り第１表示部１２２と第２表示部１２３とは表示解像度が異なるため、第１表示部１２２に出力する表示用信号２１３の方が第２表示部１２３に出力する表示用信号２１５より画素数が多い。他の点については第１の実施形態と同様であってよい。
【００３８】
フォーマット適合回路２１６は、選択回路２１１から受信した映像信号を、外部出力用の信号フォーマットに変換した出力用信号２１７を、デジタルデータＩ／Ｆ部１２５に出力する。ここでは、輝度（Ｙ）に対して色差（ＣｂＣｒ）を間引いてＹＣＣ（ＹＵＶ）４２２形式に変換し、SDI出力フォーマットに変換するものとする。
【００３９】
次いで、図２に示す映像信号処理回路で行う表示制御動作の一例を、図３を用いて模式的に説明する。
図３において、映像および輝度波形（波形モニタ表示）はいずれも第１表示部１２２に表示されるものとする。また説明を簡素化するため、映像信号は画面左側が低輝度、画面右側が高輝度の水平ランプ信号であるとする。すなわち、同一垂直ライン内の画素は等しい輝度レベルを有し、画面の左から右へむかって垂直ラインの輝度が一定に増加するような映像であるとする。
【００４０】
波形モニタ表示領域３０１は、水平方向において映像表示領域１３０と対応した座標軸を有しており、垂直方向は輝度レベルをIRE単位で表している。このように、映像表示領域１３０と波形モニタ表示領域３０１の位置を対応付けて表示する場合、映像表示領域１３０と波形モニタ表示領域３０１は同じ表示部に表示される。しかし、位置を対応付けない場合には、別個の表示部に表示されてもよいし、同じ表示部に表示されてもよい。ここで、ＩＲＥ(Institute of Radio Engineers)は映像信号の100%白の輝度レベルを100[IRE]とした単位である。本実施形態では、波形表示の明るさで映像画面内に含まれる輝度レベルの頻度を表しており、明るく表示されるほど同一水平位置においてその輝度レベルの頻度が高いことが示される（不図示）。
【００４１】
図３に示す映像信号は、６０IRE〜７０IREの範囲の輝度レベルを有する領域３０２が着色（ここでは一例として赤色とする）表示されている。この着色は、ビデオ信号処理部１１５がゼブラパターンの重畳と同様に例えば色の付いた均一なパターンを映像に重畳表示することで実現されてもよいし、フォールスカラー表示と同様に映像の対象画素の色を置き換えたり変換したりすることで実現されてもよい。
【００４２】
そして、波形モニタ表示領域３０１の輝度波形表示において、映像の領域３０２に対応する領域３０３は、領域３０２に付けた色に対応する色、例えば同色（赤色）で表示する。なお、映像信号に付けた色と、輝度波形表示に適用する色とは厳密に同色である必要は無く、映像信号に付けた他の色と混同することなく対応関係が把握できる程度の類似性があればよい。従って、「対応する色」という表現は、同一色のみならず類似色も含むものと解されるべきである。
【００４３】
また、映像信号の６０IRE〜７０IREの範囲以外の輝度レベルを有する領域３０４、３０６には色を付けていないため、映像がそのまま表示される。
そのため、領域３０４，３０６に対応する輝度波形表示の領域３０５、３０７は、予め定められた標準色、例えば緑色で表示する。
【００４４】
以上説明したように、本実施形態によれば、映像信号と、この映像信号の輝度波形表示とを併せて行う。また、映像信号のうち特定の輝度レベルを有する範囲（画素）を着色表示するとともに、輝度波形表示においてもその特定の輝度レベルに対応した部分を映像信号と同様に着色表示する。従ってユーザは、映像表示画面からは、特定の輝度レベル範囲の画素が映像中に存在する位置や量を把握することができ、輝度波形表示画面からは、映像表示における特定の輝度レベル範囲が具体的にどのような値であるのかを容易かつ正確に把握することができる。例えばライブビュー表示画像に本実施形態を適用すれば、映像表示画面と輝度波形表示画面とを見ながら露出条件を設定することで、意図した撮影結果を得ることができる。
【００４５】
●（第２の実施形態）
次に、本発明の第２の実施形態について説明する。本実施形態が第１の実施形態と異なる点は、１つの輝度レベル範囲ではなく、全ての輝度レベルを包含する複数の輝度レベル範囲について映像の着色表示と、対応する輝度波形表示を実施している点である。
【００４６】
基本的な動作は第１の実施形態と同様であるため、説明を省略する。図４は、図３と同様の映像に対する本実施形態の表示方法を模式的に示した図である。
本実施形態では３０IRE以下、３０IRE超７０IRE未満、７０IRE以上、の３つの輝度レベル範囲に分割し、それぞれ青、緑、黄に着色表示している。そのため、左から右に向かって０IRE以下から０と１００IREを通って１００IRE以上まで輝度レベルが線形に増加する本実施形態の映像信号では、映像表示領域１３０において領域４０２が青，領域４０４が緑，領域４０６が黄、に着色表示されている。
【００４７】
この場合、ビデオ信号処理部１１５は、波形モニタ表示領域４０１の輝度波形も、３０IRE以下に対応する部分４０３は青、３０IRE超７０IRE未満に対応する部分４０５は緑、７０IRE以上に対応する部分４０７は黄で表示される。
【００４８】
（変形例）
なお、全ての輝度レベルに対して色を割り当てるのではなく、特定の範囲の複数の輝度レベル範囲について映像の着色表示と、対応する輝度波形表示を実施してもよい。
例えば、図５は、５０IRE以下の輝度レベルをほぼ等分割した輝度レベル範囲をそれぞれ異なる色で着色表示した例を示している。
図５（ａ）では、映像信号（ここでは水平ランプ信号）の輝度レベルが５０IRE以下の部分について、３つの輝度レベル範囲に分割し、異なる色で着色表示するとともに、波形モニタ表示に対して同様の着色を行った例を示している。システム制御部１１１がレジスタ２０５に設定する輝度レベルの範囲を制御することにより、このような表示制御を実現できる。
【００４９】
従って、映像表示領域１３０の領域５０２，５０４，５０６と、波形モニタ表示領域３０１における輝度波形の領域５０３，５０５，５０７はそれぞれ対応する色に着色表示されている。一方、５０IREを超える領域５０８の映像信号は着色表示されず、元の映像がそのまま表示され、対応する輝度波形の領域５０９は領域５０３，５０５，５０７とは異なる標準色、例えば緑色で表示される。
低照度部分の諧調性を特に確認したい場合などに有効となる。
【００５０】
また、表示される映像信号の最大輝度レベルに応じて、着色表示する輝度レベルを動的に変更してもよい。例えば、図５（ｂ）に示すように、映像信号の最大輝度レベルが５０IREである場合、映像信号に含まれる輝度レベルの範囲（０〜５０IRE）を複数に分割して着色表示するようにしてもよい。カメラ信号処理部１０６で検出された映像中の最高輝度レベルに応じて、システム制御部１１１がレジスタ２０５に設定する輝度レベルの範囲を制御することにより、このような表示制御を実現できる。これにより、撮影条件に応じた情報をユーザに提供することができる。
【００５１】
図５（ｂ）では、最大輝度レベルの５０IREを有する部分には着色表示を行わず、５０IRE未満の輝度範囲を３つに分割して着色表示した例を示している。５０IREの輝度レベルを有する領域６０８には着色表示を行わず、輝度波形の対応する領域６０９は標準色で表示される。この場合、最大輝度レベルの変動とともに、最大輝度レベル以下の、分割して特定色に着色表示する輝度範囲は変化する。
【００５２】
本実施形態によれば、第１の実施形態と同様の効果に加え、複数の輝度レベル範囲について一度に輝度レベルの分布とその値の把握が可能になり、撮影時の露出設定をより厳密に行うことが可能になる。
【００５３】
なお、図３〜図５の例では、輝度波形表示と映像表示との水平位置を合わせた場合を示したが、映像につけられた色と輝度波形表示の色とが対応しているため、表示位置を合わせなくても両者の対応は明確に把握できる。
例えば、映像表示画面にピクチャインピクチャ形式で（子画面として）輝度波形表示画面を重畳表示するような形態であってもよい。
【００５４】
図６は、映像表示領域に波形モニタ表示領域を子画面として重畳表示した場合の例を示す図である。図６（ａ）は着色表示前の状態を、（ｂ）は着色表示後の状態をそれぞれ示している。本例では、波形モニタ表示領域３０１は映像表示領域１３０に半透過で重畳表示されている。図６（ｂ）の５０１で示すように、映像表示領域１３０に表示されている映像のうち、所定輝度レベルを有する画素と、波形モニタ表示領域３０１における所定輝度レベルに対応する部分が対応する色で着色表示されている。このように、波形モニタ表示領域３０１と映像表示領域１３０の位置を合わせずに表示する場合には、波形モニタ表示領域３０１と映像表示領域１３０とが異なる表示部に表示される形態であってもよい。また、映像と輝度波形とが比較可能であれば、波形モニタ表示領域３０１と映像表示領域１３０とが同一表示画面内で交互に表示されたり、映像表示領域１３０が常時表示され、波形モニタ表示領域３０１が点滅表示されたりするような表示形態を採用してもよい。
【００５５】
●（第３の実施形態）
次に、本発明の第３の実施形態について説明する。本実施形態に係るデジタルカメラの機能構成は第１および第２の実施形態と同様であってよいため、以下では、本実施形態に特徴的な映像表示と波形モニタ表示の制御動作について説明する。
本実施形態では、着色表示を行う輝度レベル範囲を、基準輝度レベルと、映像信号に対して適用されるガンマ補正カーブ（階調補正特性）とを用いて決定することを特徴とする。
【００５６】
図７は、図３〜図４と同様の形式で映像表示領域１３０および波形モニタ表示領域３０１を示した図である。ここでも、映像信号は画面左側が低輝度、画面右側が高輝度の水平ランプ信号であるとする。
【００５７】
NTSC方式のテレビ放送では、受信側のテレビでガンマ値２．２と定義されており、表示がリニアな階調となるように、一般的に送信側では表示装置の逆ガンマ特性である１／２．２=０．４５４５…のガンマ値を用いてガンマ補正を適用する。ガンマ補正は、非線形な入出力特性を有するガンマ補正カーブを用いた階調補正処理である。撮影時に表示装置（第１表示部１２２）のガンマ特性の逆特性を用いてガンマ補正すれば、水平ランプ信号に対する輝度波形は、図７に示すように直線状となる。一方、撮影時に映像信号に適用するガンマ補正カーブは必ずしも表示装置のガンマカーブの逆特性としない（ならない）場合もあり、この場合には、映像信号が水平ランプ信号であっても輝度波形は直線になるとは限らない。
【００５８】
本実施形態では撮影時にカメラ信号処理部１０６で適用されうるガンマ補正カーブ（階調補正特性）として、図７に示すガンマ補正カーブＡ ３２１と、ガンマ補正カーブＢ ３２２があるものとする。ただし、これは説明および理解を容易にするためであって、３つ以上のガンマ補正カーブの１つが適用される構成であっても基本的な動作は同様である。
【００５９】
ここでは、着色表示を行う輝度レベル範囲を指定する情報として、基準輝度レベルが予め設定されているものとする。基準輝度レベルはある特定の輝度レベル[REI]である。また、基準輝度レベルは複数設定されていてもよいが、ここでは説明及び理解を容易にするために１つであるものとする。
【００６０】
システム制御部１１１は、カメラ信号処理部１０６から、映像信号に適用するガンマ補正カーブを特定する情報を取得する。この情報は、ガンマ補正カーブそのものであってもよいし、ガンマ補正カーブの識別情報であってもよい。なお、複数のガンマ補正カーブのうち、どのガンマ補正カーブを適用するかは、任意の基準に応じて、例えばユーザの設定によって決定されてよい。システム制御部１１１は、カメラ信号処理部１０６から取得するか、自身が有する記憶装置を参照して、使用されるガンマ補正カーブを参照し、基準輝度レベルにガンマ補正カーブを適用した後の輝度値（ガンマ補正後の値）を求める。そして、システム制御部１１１は、ガンマ補正後の値を中心として所定の輝度レベル範囲を、着色表示を行う輝度レベル範囲として求め、ビデオ信号処理部１１５のレジスタ２０５に設定する。
【００６１】
図７に示す例では、ガンマ補正カーブで補正（変換）した輝度値を中心として±５[IRE]の範囲を着色表示対象の輝度レベル範囲としている。その結果、基準輝度レベル３２０に対し、ガンマ補正カーブＡ ３２１が用いられる場合には輝度レベル範囲３２３が、ガンマ補正カーブＢ ３２２が用いられる場合には輝度レベル範囲３２４が、それぞれ着色表示対象となる輝度レベル範囲を表している。
【００６２】
レジスタ２０５に輝度レベル範囲が設定された後の処理については第１の実施形態と同様である。従って、カメラ信号処理部１０６でガンマ補正カーブＡ ３２１が用いられる場合、映像表示領域１３０のうち輝度レベル範囲３２３に対応する領域３０８と、波形モニタ表示領域３０１における輝度波形の対応する領域３０７が着色表示される。一方、カメラ信号処理部１０６でガンマ補正カーブＢ ３２２が用いられる場合、映像表示領域１３０のうち輝度レベル範囲３２４に対応する領域３１０と、波形モニタ表示領域３０１における輝度波形の対応する領域３０９が着色表示される。
【００６３】
図７ではカメラ信号処理部１０６でガンマ補正カーブＡ ３２１が用いられる場合とガンマ補正カーブＢ ３２２が用いられる場合を併せて示しているため、領域３０８と３１０（または領域３０７と３０９）の両方が着色表示されるように見える。しかし、実際にはガンマ補正カーブに応じた一方のみが着色表示される。
【００６４】
なお、映像表示領域１３０の領域３１２，３１４，３１６はガンマ補正カーブＡ ３２１およびＢ ３２２のいずれが用いられても着色表示されない。同様に、波形モニタ表示領域３０１の輝度波形の領域３１１，３１３，３１５は、ガンマ補正カーブＡ ３２１およびＢ ３２２のいずれが用いられても標準色で表示される。
【００６５】
なお、システム制御部１１１がガンマ補正後の基準輝度レベルを求め、それに従って着色表示を行う輝度レベル範囲をレジスタ２０５に設定する動作を、映像輝度レベル比較回路２０３および波形輝度レベル比較回路２０８で行うようにしてもよい。この場合、システム制御部１１１はレジスタ２０５に例えばカメラ信号処理部１０６が映像信号に対して適用するガンマ補正カーブを特定する情報と基準輝度レベルを設定する。そして、映像輝度レベル比較回路２０３および波形輝度レベル比較回路２０８は、ガンマ補正カーブを適用した後の基準輝度レベルを求め、着色対象の輝度レベル範囲を設定してレベル比較処理を行えばよい。ガンマ補正カーブを適用した後の基準輝度レベルは、カメラ信号処理部１０６もしくはシステム制御部１１１から取得したガンマ補正カーブを用いたり、予めビデオ信号処理部１１５に記憶されたガンマ補正カーブを用いて求めてもよい。なお、映像輝度レベル比較回路２０３および波形輝度レベル比較回路２０８の一方で輝度レベル範囲を求め、他方に通知するように構成してもよい。
【００６６】
以上説明したように、本実施形態では、ガンマ補正前の基準輝度レベルと、ガンマ補正カーブ（階調補正特性）とを用い、ガンマ補正後の基準輝度レベルに応じた輝度レベル範囲に対して着色表示を行う。そのため、第１〜第２の実施形態の効果に加え、例えば、１８％グレーチャートのような既知の入力映像を用いて撮影輝度レベル管理をする場合に、撮影で使用するガンマ補正カーブに適した輝度レベルに注目して撮影条件を設定することが可能となる。なお、本実施形態は、第２の実施形態とも組み合わせ可能である。
【００６７】
●（他の実施形態）
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせても良い。
【００６８】
特に、映像中の輝度レベルと波形モニタの波形の輝度レベルの関連性を示すために、映像の色差（Cb,Cr）成分を制御して映像の色を変更する方法でなくとも良い。代わりに、該当する輝度レベルに対して、従来広く使われているゼブラパターンなどの任意のパターンを輝度レベル範囲と対応付けられた所定の色で重畳表示することでも同様の効果が得られる。この場合、映像信号は白黒表示してもよい。
【００６９】
また、上述した着色表示は、任意のタイミングでオンオフ可能とすることができる。例えば、入力操作部１１３を通じた指示に応じてオンオフを切り替えてもよい。オフの場合は、少なくとも色差制御回路２０６，２０９の動作を停止させ、色空間変換回路２０２および輝度波形生成回路２０７の出力が合成回路２１０や選択回路２１１に入力されるようにすればよい。なお、着色表示のオンオフは、映像信号の輝度レベルが変化するような操作が行われた際に自動的にオンされるようにすることで、新しい撮影条件で得られる映像の輝度レベルの管理を補助することができる。このような操作としては、例えば絞り値、シャッター速度、撮影感度の少なくとも１つを変更する操作や、撮影モードの変更など、結果として絞り値、シャッター速度、撮影感度の少なくとも１つが変更される操作がある。なお、他の条件によって着色表示のオンオフを制御するようにしてもよい。
【００７０】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。
その場合、プログラムの機能を有していれば、オブジェクトコード、インタプリタにより実行されるプログラム、ＯＳに供給するスクリプトデータ等、プログラムの形態を問わない。
【００７１】
プログラムを供給するための記録媒体としては、例えば、ハードディスク、磁気テープ等の磁気記録媒体、光／光磁気記憶媒体、不揮発性の半導体メモリでもよい。
また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【図１】
2015109563.tif 000003
【図２】
2015109563.tif 000004
【図３】
2015109563.tif 000005
【図４】
2015109563.tif 000006
【図５】
2015109563.tif 000007
【図７】
2015109563.tif 000008
【図６】
2015109563.tif 000009